(57)【特許請求の範囲】
【請求項１】
複数に分割されたガス流量区分それぞれに連続使用を許容する安全継続使用時間を記憶した記憶部と、ガス流量の増減を検出し、少なくとも増加した個別のガス流量の使用が当該ガス流量に対応するガス流量区分の安全継続使用時間を超えるか否かを監視する監視部と、前記監視部により超えたことを検出した時にガス供給を遮断する遮断情報を生成する遮断情報生成部とを備えたガス流量監視装置であって、
標準的なガス使用施設に使用される前記安全継続使用時間の系列である標準安全継続使用時間系列と、前記標準安全継続使用時間系列に対して安全継続使用時間が短縮された短縮安全継続使用時間系列と、前記標準安全継続使用時間系列に対して安全継続使用時間が延長された延長安全継続使用時間系列とが前記記憶部に記憶され、
前記監視部において監視に使用する安全継続使用時間系列として、前記標準安全継続使用時間系列、前記短縮安全継続使用時間系列、前記延長安全継続使用時間系列のいずれかを選択的に使用可能に構成され、
密閉度が高い室を有するガス使用施設に対して、前記短縮安全継続使用時間系列を選択して使用可能に構成され、
増加したガス流量の使用の計時中に、前記安全継続使用時間系列の選択・切換が発生した場合に、
切換前の安全継続使用時間系列における監視対象とするガス流量に対応する安全継続使用時間をＴ０、監視対象とするガス流量の発生から切換時までの時間をｔ０とし、切換後の安全継続使用時間系列における監視対象とするガス流量に対応する安全継続使用時間をＴ１として、
切換後の安全継続使用時間の満了までに、Ｔ１−Ｔ１×（ｔ０／Ｔ０）時間残存するとするガス流量監視装置。
【請求項２】
前記ガス使用施設に備えられる換気装置の作動情報を取得する作動情報取得手段を備え、
前記作動情報取得手段により取得される作動情報の変化に従って、前記監視部で使用する安全継続使用時間系列が選択可能とされる請求項１記載のガス流量監視装置。
【請求項３】
現状の安全継続使用時間系列の設定が、前記標準安全継続使用時間系列若しくは前記短縮安全継続使用時間系列である場合で、前記作動情報が、前記換気装置が作動していないとの情報から、前記換気装置が作動しているとの情報に変化した場合に、前記監視部が、前記安全継続使用時間系列として安全継続使用時間が現状より長くなる側の安全継続使用時間系列を選択使用する請求項２記載のガス流量監視装置。
【請求項４】
現状の安全継続使用時間系列の設定が、前記標準安全継続使用時間系列若しくは前記延長安全継続使用時間系列である場合で、前記作動情報が、前記換気装置が作動しているとの情報から、前記換気装置が作動していないとの情報に変化した場合に、前記監視部が、前記安全継続使用時間系列として安全継続使用時間が現状より短くなる側の安全継続使用時間系列を選択使用する請求項２又は３記載のガス流量監視装置。
【発明の詳細な説明】
【技術分野】
【０００１】
本発明は、複数に分割されたガス流量区分それぞれに連続使用を許容する安全継続使用時間を記憶した記憶部と、ガス流量の増減を検出し、増加した個別のガス流量の使用が当該ガス流量に対応するガス流量区分の安全継続使用時間を超えるか否かを監視する監視部と、前記監視部により超えたことを検出した時にガス供給を遮断する遮断情報を生成する遮断情報生成部とを備えたガス流量監視装置に関する。
【背景技術】
【０００２】
従来、ガス漏洩検知に使用可能なガス流量監視装置として、ガス流量の増加が生じたとき、その増加流量（発生流量と呼ばれる）を単位として、その継続時間を監視し、その継続時間が予め設定された所定の制限時間（安全継続使用時間と呼ばれる）を超えた場合に、ガス供給を遮断する遮断情報を生成するように構成されるものが知られている（非特許文献１）。
【０００３】
ここで、制限時間は、図６に示すように、各発生流量のガス消費量（実質的に、各ガス機器が使用するガス流量区分）を基準として経験的に予め設定されているものであり、そのガス流量区分内の漏洩が継続的に発生しても、当該制限時間内では問題を起こさない時間とされている。従って、安全継続使用時間は、各ガス流量区分に従って、同図に示すように、ガス流量の増加に伴って階段的にその制限時間が短くなるものとされてきた。
また、この文献に開示の技術では、標準的な安全継続使用時間の系列（図６の右上の数表に「通常」と記載され、階段状の実線で示す）と、この系列に対して、それぞれのガス消費量区分に対して制限時間が長い側に設定される系統（図６の右上の数表に「延長」と記載され、階段状の破線で示す）とが用意されている。この「延長」側の系列は、例えば、「通常」の系列で、安全継続使用時間の運用を図った場合に、ガス遮断が頻繁に起こる等の状況が発生した場合に、「延長」側の系列を選択して運用するためのものである。
【０００４】
さらに、このような安全継続使用時間として、ガスガバナを装備している器具の流量と安全継続時間（安全継続使用時間に相当）との関係を表す第１の安全継続時間テーブル５１と、ガスガバナを装備していない器具の流量と安全継続時間との関係を示す第２の安全継続時間テーブル５２とを記憶した記憶手段５０を備え、この記憶手段５０に記憶された安全継続時間に基づいて遮断情報を生成する構成も提案されている（特許文献１）。
【非特許文献１】「都市ガス工業概要（供給編）」  発行所  社団法人  日本ガス協会（図３．１１  安全継続使用時間設定値）
【特許文献１】特開平７−１５１５８０号公報
【発明の開示】
【発明が解決しようとする課題】
【０００５】
今日、安全継続使用時間を使用するガス漏洩監視機構は、例えば、ガスメータ内に格納されるマイコンに装備されて、各家庭・工場等のガス消費施設でのガス供給の安全確保の用に供されている。しかしながら、現今の家庭等は気密性が格段に向上し、各家庭が気密性が高い地下室を有している場合もある。このような家庭を対象として、これまで説明してきた安全継続使用時間を良好に運用することができる技術は、未だ確立されていない。
さらに、建築物において、その施設全体の換気を２時間で一回行うことができる換気装置の設置が法律により義務づけられている。即ち、各施設において、換気が行われる可能性が高まっており、このように換気が行われる場合と、換気が行われない場合とが混在する状況が考えられる。しかしながら、換気装置の使用・非使用が安全継続使用時間の計時時間内に起こった場合に、どのように安全継続使用時間を運用するのが好ましいかという技術は確立しているわけではない。
【０００６】
本発明の主たる目的は、地下室等の気密性が非常に高い部屋を有する施設における安全継続使用時間の運用を良好なものとすることができるとともに、換気装置を有し、換気装置が運転された状況での管理を良好に行うことができるガス流量監視装置を提供することにある。
【課題を解決するための手段】
【０００７】
上記目的を達成するための、複数に分割されたガス流量区分それぞれに連続使用を許容する安全継続使用時間を記憶した記憶部と、ガス流量の増減を検出し、少なくとも増加した個別のガス流量の使用が当該ガス流量に対応するガス流量区分の安全継続使用時間を超えるか否かを監視する監視部と、前記監視部により超えたことを検出した時にガス供給を遮断する遮断情報を生成する遮断情報生成部とを備えたガス流量監視装置の特徴構成は、標準的なガス使用施設に対して使用される前記安全継続使用時間の系列である標準安全継続使用時間系列と、前記標準安全継続使用時間系列に対して安全継続使用時間が短縮された短縮安全継続使用時間系列と、前記標準安全継続使用時間系列に対して安全継続使用時間が延長された延長安全継続使用時間系列とが前記記憶部に記憶され、
前記監視部において監視に使用する安全継続使用時間系列として、前記標準安全継続使用時間系列、前記短縮安全継続使用時間系列、前記延長安全継続使用時間系列のいずれかを選択的に使用可能に構成され、
密閉度が高い室を有するガス使用施設に対して、前記短縮安全継続使用時間系列を選択して使用可能に構成され、
増加したガス流量の使用の計時中に、前記安全継続使用時間系列の選択・切換が発生した場合に、
切換前の安全継続使用時間系列における監視対象とするガス流量に対応する安全継続使用時間をＴ０、監視対象とするガス流量の発生から切換時までの時間をｔ０とし、切換後の安全継続使用時間系列における監視対象とするガス流量に対応する安全継続使用時間をＴ1として、
切換後の安全継続使用時間の満了までに、Ｔ１−Ｔ１×（ｔ０／Ｔ０）時間残存するとすることにある。
【０００８】
このガス流量監視装置では、これまで使用されてきた標準安全継続使用時間系列及び延長安全継続使用時間系列に対して、標準安全継続使用時間系列より短縮側の短縮安全継続使用時間系列が設けられており、この短縮安全継続使用時間系列が、密閉度が高い室を有するガス使用施設に対するものとされ、少なくとも３つの系列から、ガス使用施設に適合する系列を選択して使用可能となる。結果、例えば、気密性が高い地下室等を備えたガス使用施設に対しても好適に適用できる。
また、このようにすることで、各系列が採用されている時間における安全継続使用時間に対する影響を合理的に評価して、ガス流量監視を行える。
【０００９】
さて、上記構成において、前記ガス使用施設に備えられる換気装置の作動情報を取得する作動情報取得手段を備え、
前記作動情報取得手段により取得される作動情報の変化に従って、前記監視部で使用する安全継続使用時間系列が選択可能とされる構成を採用することが好ましい。
ガス使用施設に換気装置が備えられている場合、その換気装置が運転されているか、否かで、採用すべき安全継続使用時間系列は、本来的に変わる。そこで、換気装置の作動情報を作動情報取得手段で監視し、この取得手段により取得される作動情報の変化（例えばＯＮからＯＦＦ、あるいはその逆）に従って、系列を選択可能とする構成とする。結果、的確な系列を使用してガス流量監視を行える。
【００１０】
上記のように、換気装置の作動情報に従って、ガス流量監視を行う場合に、
現状の安全継続使用時間系列の設定が、標準安全継続使用時間系列若しくは短縮安全継続使用時間系列である場合で、作動情報が、換気装置が作動していないとの情報から、換気装置が作動しているとの情報に変化した場合に、監視部が、安全継続使用時間系列として安全継続使用時間が現状より長くなる側の安全継続使用時間系列を選択使用することが好ましい。
換気装置の運転により、漏洩があったとしても、問題の発生までの時間は格段に延長されることとなるため、安全継続使用時間が長くなる側の系列で管理するのが現状に適合するためである。
【００１１】
上記のように、換気装置の作動情報に従って、ガス流量監視を行う場合に、現状の安全継続使用時間系列の設定が、標準安全継続使用時間系列若しくは延長安全継続使用時間系列である場合で、作動情報が、換気装置が作動しているとの情報から、換気装置が作動していないとの情報に変化した場合に、監視部が、安全継続使用時間系列として安全継続使用時間が現状より短くなる側の安全継続使用時間系列を選択使用することが好ましい。
換気装置の停止により、漏洩があった場合、問題の発生までの時間が短くなる可能性が高まり、安全継続使用時間が短くなる側の系列で管理するのが現状に適合するためである。
【発明を実施するための最良の形態】
【００１３】
以下、図面に基づいて本願に係るガス流量監視装置１について説明する。
図１は、ガス流量監視装置１を備えたガスメータ２が設備された家庭３（ガス使用施設の一例）の概略構成を示している。図２は、ガス流量監視装置１の構成を示す説明図である。
【００１４】
家庭
各家庭３には引き込み管４を介して都市ガスが引き込まれており、その各家庭３への入口位置にガスメータ２が設備される。ガスメータ２は、各家庭３に供給されるガス量の計測の用に供されるとともに、ガス漏れ等の問題に対しては、これまで説明してきた安全継続使用時間に基づいて、ガス漏れの監視を行うように構成されており、ガス漏れの可能性のある場合は、ガスメータ２において家庭３内へのガスの供給を停止するように構成されている。ガスメータ２の下流側は、分岐され、各室に設けられたガスコンセントを介して、ガス機器５にガスが供給される。図１には、台所６に設備されているレンジに、地下室７に設備されているガスストーブに、それぞれガスが供給される例を示している。
さらに、図１に示すように、台所６、地下室７には、それぞれ換気用のファン８（図２において換気ファンと記載している）が備えられている。これら換気用のファン８の運転は、台所６の場合、レンジフード９に設けられた換気ファンスイッチ１０（換気ファンＳＷ）のＯＮ、ＯＦＦによるものとされており、地下室７の場合、壁１１に設けられた換気ファンスイッチ１０（換気ファンＳＷ）のＯＮ、ＯＦＦによるものとされている。これら換気ファンスイッチ１０のＯＮ、ＯＦＦ情報は、ガスメータ２に設けられたガス流量監視装置１に入力される。
【００１５】
ガスメータ
図２は、上記のガスメータ２の機能を簡略化して示したものである。
ガスメータ２には、都市ガスの流入部位に緊急遮断弁１２が備えられるとともに、その下流側にガス計量部１３が設けられている。前記緊急遮断弁１２は、制御部１４により発生される遮断情報により遮断作動し、下流側へのガスの供給を遮断する。前記ガス計量部１３は、このガス計量部１３を通過するガスの流量に従って、流量パルス情報を発生する。この流量パルス情報は、ガス計量部１３を一定のガス流量が通過する毎に発生するように構成されている。そして、図２に示すように、ガス計量部１３を通過したガスが、各ガス機器５に送られる。
【００１６】
制御部
この制御部１４はマイクロコンピュータから構成されており、ハードウェアとそれに格納されるソフトウェアとの共働により、一定の機能を発揮できるように構成されている。本願にあっては、実質的にこの制御部が本願におけるガス流量監視装置１となる。
制御部１４には、記憶部１４ａ、流量積算部１４ｂ、監視部１４ｃ、遮断情報生成部１４ｄ及び入出力部１４ｅが備えられている。
以下、流量積算に関与する部位と遮断情報の生成に関する部位の順に説明する。
【００１７】
流量積算関係
先にも説明したように、ガス計量部１３からはこの計量部１３を一定流量のガスが通過する毎に、単位流量パルスが入出力部１４ｅを介して制御部１４に入力される。このような時間領域における流量パルスの発生状況を示したのが、図３（ｃ）である。図３は、横軸に時間ｔを、縦軸に、それぞれ流量Ｑ（ａ）、流量Ｑ（ｂ）及び流量パルス（ｃ）を示している。ここで、（ａ）は本願にいう発生流量の説明のための図であり、（ｂ）は実際にガス計量部１３を通過しているガス流量を示す図であり、（ｃ）は、このようなガス流量が流れる状況における流量パルスの発生状態（頻度）を示す図である。
【００１８】
図３（ｂ）は、流量が初期にＱ１だけ流れ、次にＱ２流れ、再度Ｑ１に戻った状況を示している。従って、流量パルスの発生状態は流量に対応する頻度で発生することとなる。流量積算部１４ｂでは、単位時間に入力してくる流量パルス数を計数することで、単位時間に流れるガス流量を積算検知することができる。
【００１９】
遮断情報の生成関係
記憶部
本願にあっては、図５に示すように、安全継続使用時間の系列として４つの系列（時間１、時間２、時間３及び時間４）が用意されている。
ここで、用意されている系列は、時間１〜時間４に向かうに従って、以下のように区分けされている。
時間１：密閉度の高い室（例えば地下室）を有し、比較的気密度が高い家庭で使用する系列
時間２：密閉度の高い室（例えば地下室）は有しないが、比較的気密度が高い家庭で使用する系列で、この系列は、密閉度の高い室（例えば地下室）を有する比較的気密度が低い家庭でも使用する系列
時間３：密閉度の高い室（例えば地下室）は有しないが、比較的気密度が低い家庭で使用する系列
時間４：時間３の系列に対して、延長が必要となった場合に使用する系列
【００２０】
従って、例えば、通常のマンション等に対しては、標準的には時間２を使用し、地下室を有する場合は時間１を使用することとなる。さらに延長が必要な場合は、時間３を使用する。一方、通常の木造一戸建て等に対しては、標準的には時間３を使用し、地下室を有する場合は時間２を使用することとなる。さらに延長が必要な場合は、時間４を使用する。
【００２１】
従って、記憶部１４ａには、標準的なガス使用施設に対して使用される安全継続使用時間系列情報ｍとして標準安全継続使用時間系列（図２に標準系列情報ｍ０と記載）と、当該標準安全継続使用時間系列に対して安全継続使用時間が短縮された短縮安全継続使用時間系列（図２に短縮系列情報ｍ１と記載）と、標準安全継続使用時間系列に対して安全継続使用時間が延長された延長安全継続使用時間系列（図２に延長系列情報ｍ２と記載）とが記憶・格納される。即ち、本実施形態では、安全継続使用時間系列の群として、（時間１、時間２、時間３）の系列群と、（時間２、時間３、時間４）の系列群が、ガス使用施設に対応して選択的にデフォルト設定されて使用される。
【００２２】
監視部
監視部１４ｃには、図２に示すように発生流量検出手段Ｘ１、第１安全継続使用時間取込手段Ｘ２、安全継続使用時間系列決定手段Ｘ３、第２安全継続使用時間取込手段Ｘ４、第１計時手段Ｘ５、第２計時手段Ｘ６が備えられている。
【００２３】
発生流量検出手段
この発生流量検出手段Ｘ１は、先の流量積算部１４ｂから出力されてくる所定期間毎の流量をモニターしており、発生流量の発生を監視する。図３に示す例に基づいて説明すると、この例における流量変化は、ガスの使用がない（流量がない）状態から、最初、流量Ｑ１の発生があり、その後、しばらくこの流量が継続された後、流量がＱ２に増加し、再度流量がＱ１に減少している。
したがって、この状況は、流量Ｑ１＝ΔＱ１を消費するガス機器５が作動した後、そのガス機器５が働いている状態で、流量Ｑ２−Ｑ１＝ΔＱ２を消費するガス機器５が新たに作動を開始している。次に、後者のガス機器５が停止され、その後前者のガス機器５が停止されている。
そこで、この発生流量検出手段Ｘ１は、ガス流量の各変化（増加）流量Ｑ１＝ΔＱ１、流量Ｑ２＝ΔＱ１＋ΔＱ２、及び、変化（減少）流量Ｑ１＝Ｑ２−ΔＱ２を個別に「発生流量」として認識する。このように、ガス流量の変化がある毎に、「発生流量」は順次リセットされながら、その変化の発生時点から次の変化の発生時点までを、その「発生流量」の継続時間として計時の対象とする。
これら発生流量が、後述する計時手段Ｘ５、Ｘ６により、「発生流量」別の継続時間の監視対象とする。監視部１４ｃは、全体として各発生流量Ｑ１，Ｑ２の立上り、もしくは立下りからの経過時間を個別に監視し、各発生流量の継続時間が、ガス流量区間毎に設定記憶しており、対応するガス流量において対応する安全継続使用時間を超えないように監視対象とする。
【００２４】
第１安全継続使用時間取込手段
この第１安全継続使用時間取込手段Ｘ２は、各家庭においてデフォルト設定されている安全継続使用時間の系列に基づいて、各発生流量に対応する安全継続使用時間を取り込む。
例えば、家庭３が木造で地下室を有している場合は、短縮安全継続使用時間の系列として時間２を、地下室を有していない場合は、標準安全継続使用時間の系列として時間３を参照して、各発生流量に対する安全継続使用時間が取り込まれ、定められる。
一方、家庭３がマンションの一室で地下室を有している場合は、短縮安全継続使用時間の系列として時間１を、地下室を有していない場合は、標準安全継続使用時間の系列として時間２を参照して、各発生流量に対する安全継続使用時間が取り込まれ、定められる。
このように、第１安全継続使用時間取込手段Ｘ２は、デフォルト設定の安全継続使用時間を取り込み、各発生流量毎の監視で使用する安全継続使用時間を求める手段である。
【００２５】
安全継続使用時間系列決定手段
この安全継続使用時間系列決定手段Ｘ３は、現状で採用している安全継続使用時間の変更が適切か否かを判断し、変更が適切な場合に、系列を一段上げる、あるいは一段下げる処理を実行し、適正な安全継続使用時間を担保する手段である。ここで、変更が適切とは、延長しても安全性を損なわず、顧客利便性を上げられるの意味である。
具体的には、この安全継続使用時間系列決定手段Ｘ３には、図２に示すように作動情報取得手段ｘが備えられており、ガスメータ２に入力されてくる換気ファン８のＯＮ・ＯＦＦ情報に従って、換気ファン８に関して、その作動情報の変更が各発生流量の監視中に発生しているか否かを判断する。
即ち、例えば、家庭３が地下室を備えたマンションで、安全継続使用時間の系列として時間１が選択されている場合に、換気ファン８がＯＦＦからＯＮに切換った場合には、系列を一系列上げる（時間２とする）ように安全継続使用時間の系列を選択切換する。一方、家庭３が地下室を備えない木造の家庭であり、換気ファン８がＯＮの状態で安全継続使用時間の系列として時間４が選択されている場合に、換気ファン８がＯＮからＯＦＦに切換った場合には、系列を一系列下げる（時間３とする）ように安全継続使用時間の系列を選択切換する。
このような選択切換が行われた場合は、選択切換前の安全継続使用時間に基づく管理と、選択切換後の安全継続使用時間に基づく管理とが必要となる。
【００２６】
さらに、換気ファン８の動作情報に変更がない場合は、現在の安全継続使用時間をそのまま維持する。
【００２７】
第２安全継続使用時間取込手段
この第２安全継続使用時間取込手段Ｘ４は、上記の安全継続使用時間系列決定手段Ｘ３が、安全継続使用時間の選択切換を行った場合のみ、各発生流量に対応する新たな安全継続使用時間を取り込む。
即ち、現状に監視中の発生流量について、決定された安全継続使用時間を、取り込み定める。
【００２８】
第１計時手段
この第１計時手段Ｘ５は、各発生流量に関して、第１安全継続使用時間取込手段Ｘ２により取り込み定められる安全継続使用時間に対応する計時を実行する。従って、この第１計時手段Ｘ５により、各発生流量について、発生流量の発生時からの経過時間がそのまま計時される。この手段Ｘ５により計時された経過時間は、第１安全継続使用時間取込手段Ｘ２により取り込み定められる安全継続使用時間と対比することが可能であり、当該安全継続使用時間を第１計時手段Ｘ５により計時される経過時間が超えた場合に、遮断情報を生成することとなる。
【００２９】
第２計時手段
この第２計時手段Ｘ６は、各発生流量に関して、安全継続使用時間系列決定手段Ｘ３により、安全継続使用時間の系列の選択切換が行われたときに、選択切換前の経過時間を考慮して、選択切換後の経過時間を計時する。
即ち、切換前の安全継続使用時間系列における監視対象とするガス流量に対応する安全継続使用時間をＴ０、監視対象とするガス流量の発生から切換時までの経過時間をｔ０とし、切換後の安全継続使用時間系列における監視対象とするガス流量に対応する安全継続使用時間をＴ1とする場合に、Ｔ１×（ｔ０／Ｔ０）を、第２計時手段Ｘ６の計時開始時点（系列切換時）の経過時間とする。従って、切換後の安全継続使用時間の満了までに、Ｔ１−Ｔ１×（ｔ０／Ｔ０）時間残存するとすることとなる。
【００３０】
この手段Ｘ６により計時された経過時間は、第２安全継続使用時間取込手段Ｘ４により取り込み定められる安全継続使用時間と対比することが可能であり、当該安全継続使用時間を第２計時手段Ｘ６により計時される経過時間が超えた場合に、遮断情報を生成することとなる。
【００３１】
遮断情報生成部
この遮断情報生成部１４ｄは、ガスメータ２に備えられる緊急遮断弁１２を作動するための遮断情報を生成する部位であり、先にも説明したように、安全継続使用時間の系列の切換が行われたか否かで、その生成シーケンスが異なる。
即ち、切換が行われなかった場合は、第１安全継続使用時間取込手段Ｘ２により取り込み定められる安全継続使用時間を第１計時手段Ｘ５により計時される経過時間が超えた場合に、遮断情報を生成する。一方、切換が行われた場合は、第２安全継続使用時間取込手段Ｘ４により取り込み定められる安全継続使用時間を第２計時手段Ｘ６により計時される経過時間が超えた場合に、遮断情報を生成する。
【００３２】
以上が本願に係るガス流量監視装置の構造の説明であるが、以下、図４に示すフローチャートに基づいて、その働きに関して説明する。このフローは、一の発生流量を監視している状況に対応するものであり、換気ファン８のＯＮ・ＯＦＦをガス機器使用環境の変化として捕らえるフローシーケンスである。
【００３３】
図４に示されるように、各家庭３の状況により、所定の安全継続使用時間系列がデフォルトで設定される（＃１）。即ち、記憶部１４ａに格納されている情報（時間１、時間２、時間３、時間４）から、その家庭３に使用する短縮系列情報ｍ１、標準系列情報ｍ０、延長系列情報ｍ２がそれぞれ選択されて設定される。そして、流量積算部１４ｂからの出力情報を監視部１４ｃは受け取り、常時、発生流量検出手段Ｘ１により、ガス流量の監視が実行される（＃２）。ガス流量の監視を継続する状態で、発生流量が確認されない場合（＃３：ｎｏ）は、そのまま監視を継続する。一方、発生流量が確認されると（＃３：ｙｅｓ）、その時点で採用している安全継続使用時間の系列を参照して、第１安全継続使用時間取込手段Ｘ２は、発生流量の値に従って、対応する安全継続使用時間を取り込む（＃４）。この時間が原則的な安全継続使用時間となる。一方、上記処理と同時的に、第１計時手段Ｘ５による発生流量の経過時間の計時が始まる（＃５）。
【００３４】
この状態で、作動情報取得手段ｘによる監視が始まり、ガス機器使用環境に変化があったか否かが監視される（＃６）。具体的には、換気ファン８のＯＮ・ＯＦＦ情報に変化があったか否か監視される。そして、換気ファン８の運転状態に切換がない状態（＃６：ｎｏ）にあっては、これまでに得られている安全継続使用時間がそのまま維持される（＃７）。一方、換気ファン８の運転状態に切換があった状態（＃６：ｙｅｓ）にあっては、安全継続使用時間系列決定手段Ｘ３により、新たな安全継続使用時間系列が決定される（＃８）。系列決定は、換気ファン８のＯＦＦからＯＮの変化で、系列を一段上側に上げるものであり、ＯＮからＯＦＦへの変化で、系列を一段下側に下げるものである。現状以上の系列がない場合、及び現状以下の系列がない場合は、系列の変更は行わない。
【００３５】
そして、新たに選択切換された安全継続使用時間の系列を参照して、第２安全継続使用時間取込手段Ｘ４は、発生流量の値に従って、対応する安全継続使用時間を取り込む（＃９）。この時間が新たな環境条件に対応できる安全継続使用時間となる。そして、第２計時手段Ｘ６は、切換時点を基準として、新たな安全継続使用時間において経過しているとみなすべき経過時間（先に第２計時手段Ｘ６の項で説明したＴ１×（ｔ０／Ｔ０））を導出し（＃１０）、この値（Ｔ１×（ｔ０／Ｔ０））に時間を加算する形態で、新たな安全継続使用時間に対応する計時を継続する（＃１１）。
【００３６】
遮断情報生成部１４ｄでは、現在の経過時間と現在の安全継続使用時間との比較を実行し（＃１２）、経過時間が安全継続使用時間を超えている場合（＃１２：ｙｅｓ）は遮断情報を生成・出力し（＃１３）、経過時間が安全継続使用時間を超えていない場合（＃１２：ｎｏ）は計時処理を継続する（＃１４）。
従って、本願に係るガス流量監視装置１にあっては、地下室等の比較的気密度の高い室を備えた設備で、換気装置を備えた家庭においても良好に、安全継続使用時間を使用する技術を適用することができる。
〔別実施形態〕
（ａ）上記の実施形態では、予め用意されている４つの安全継続使用時間の系列から３つを選択設定して使用したが、３つ以上の系列を対象とし、選択設定して使用してもよい。即ち、少なくとも短縮、標準、延長という３つの系列を使用できればよい。
例えば、先に説明した例では、家庭３が木造で地下室を有している場合は、短縮安全継続使用時間の系列として時間２を、地下室を有していない場合は、標準安全継続使用時間の系列として時間３を採用する例を示したが、家庭３が木造であっても、地下室を有する場合は一律に時間１を採用し、地下室を有しない場合は、時間３を採用する構成としてもよい。
（ｂ）上記の実施形態にあっては、換気ファンのＯＮ・ＯＦＦに伴って、一段づつ系列を変更するものとしたが、短縮側、もしくは延長側に複数系列を設定できている場合は、二段飛ばしとしてもよい。
（ｃ）上記の実施形態にあっては、発生流量検出手段による「発生流量」の検出は、ガス流量の変化（増加又は減少）がある毎に、その変化により新たな「発生流量」の発生があり、次の変化で、その「発生流量」の継続が終了したとの検出形態を説明した。しかしながら、次のような検出形態としてもよい。即ち、先に図３に示した例では、流量Ｑ１＝ΔＱ１を消費するガス機器５が作動した後、そのガス機器５が働いている状態で、流量Ｑ２−Ｑ１＝ΔＱ２を消費するガス機器５が新たに作動を開始し、次に、後者のガス機器５が停止され、その後前者のガス機器５が停止される状況であるため、発生流量検出手段Ｘ１は、図３（ａ）において、ガス流量の各変化（増加）ΔＱ１及びΔＱ２を個別に「発生流量」として認識することもできる。そして、計時手段Ｘ５、Ｘ６では、ΔＱ１及びΔＱ２を個別に「発生流量」として、その継続時間の監視対象とするのである。即ち、監視部１４ｃは、全体として各発生流量ΔＱ１，ΔＱ２の立上りからの経過時間を個別に監視し、各発生流量の継続時間が、ガス流量区間毎に設定記憶しており、ガス流量において対応する安全継続使用時間を超えないように監視対象とすることもできる。
【産業上の利用可能性】
【００３７】
地下室等の気密性が非常に高い部屋を有する施設における安全継続使用時間の適用を良好に実行することができるとともに、換気装置を有し、換気装置が運転された状況での管理を良好に行うことができるガス流量監視装置を提供できた。
【図面の簡単な説明】
【００３８】
【図１】ガス流量監視装置を装備したガスメータの設置状況を示す説明図
【図２】ガス流量監視装置の機能を示す機能ブロック図
【図３】ガス流量、流量パルス及び発生流量の関係を示す説明図
【図４】ガス流量監視装置におけるガス流量監視のフロー図
【図５】４つの安全継続使用時間の系列の一例を示す図
【図６】従来採用されてきた標準安全継続使用時間の系列と延長のための系列との一例を示す図
【符号の説明】
【００３９】
１０        換気ファンスイッチ
１２        緊急遮断弁
１３        ガス計量部
１４        制御部
１４ａ      記憶部
１４ｂ      流量積算部
１４ｃ      監視部
１４ｄ      遮断情報生成部
１４ｅ      入出力部
Ｘ１        発生流量検出手段
Ｘ２        第１安全継続使用時間取込手段
Ｘ３        安全継続使用時間系列決定手段
Ｘ４        第２安全継続使用時間取込手段
Ｘ５        第１計時手段
Ｘ６        第２計時手段
ｘ          作動情報取得手段
【図１】
0005308050.tif 000002
【図２】
0005308050.tif 000003
【図３】
0005308050.tif 000004
【図４】
0005308050.tif 000005
【図５】
0005308050.tif 000006
【図６】
0005308050.tif 000007